(57)【要約】      （修正有）【課題】異なる頭部の大きさ、形および可動範囲の乳幼児を縦抱きおよび横抱きの状態にして使用でき、かつ、容易に折り畳むことができる子守帯を提供する。【解決手段】上端に左右方向のギャザーが形成可能な第１の紐貫通部６が設けられ、かつ、中央に左右方向のギャザーが形成可能な第２の紐貫通部７が設けられた、乳幼児の頭部を支持するヘッドレスト部２と、左肩帯４および右肩帯５が設けられた乳幼児の胴体部を支持する子守帯本体部１と、前記子守帯本体部の上端と前記ヘッドレスト部の下端とを連結する連結部３とを備える。【選択図】図１
2011092325.tif 000002
【特許請求の範囲】
【請求項１】
乳幼児の頭部を支持するヘッドレスト部と、
左肩帯および右肩帯が設けられた、乳幼児の胴体部を支持する子守帯本体部と、
前記子守帯本体部の上端と前記ヘッドレスト部の下端とを連結する連結部と、
を備える子守帯であって、
前記ヘッドレスト部は、
上端に左右方向のギャザーが形成可能な第１の紐貫通部が設けられ、
中央に左右方向のギャザーが形成可能な第２の紐貫通部が設けられ、
左端に前記子守帯本体部の左肩帯と連結可能な第１の連結手段が設けられ、
右端に前記子守帯本体部の右肩帯と連結可能な第２の連結手段が設けられ、かつ、
表生地と裏生地との間に芯布を含み、および、
前記連結部は、左右方向のギャザーが設けられている、
前記子守帯。
【請求項２】
前記子守帯本体部は、左肩帯および右肩帯が一方の面側で交差し縫合され、他方の面側で左肩帯および右肩帯がそれぞれねじれを有し、かつ、他方の面側の左肩帯および右肩帯上にそれぞれの肩帯を逆の肩帯に連結可能な第３の連結手段が設けられている、請求項１に記載の子守帯。
【請求項３】
前記子守帯本体部は、乳幼児の腰回りにされる腰帯を備える、請求項１または２に記載の子守帯。
【請求項４】
前記第３の連結手段は、他方の面側の左肩帯および右肩帯上であって、肩帯方向の上端までの距離が肩帯方向の下端までの距離よりも長くなる位置にて設けられている、請求項２または３に記載の子守帯。
【請求項５】
前記子守帯本体部は、左肩帯および右肩帯の下端に乳幼児の足を保護する股パット部が設けられている、請求項１〜４のいずれか１項に記載の子守帯。
【請求項６】
前記ヘッドレスト部は、扇状のヘッドレスト部である、請求項１〜５のいずれか１項に記載の子守帯。
【発明の詳細な説明】
【技術分野】
【０００１】
本発明は、乳幼児の頭部を支持するヘッドレスト部を、乳幼児の胴体部を支持する子守帯本体部に連結させて備える子守帯に関する。
【背景技術】
【０００２】
主として、子供を抱っこしたりおんぶしたりするための補助具として子守帯（「おんぶひも」とか「だっこひも」「ベビーキャリアー」等と総称することがある）がある。子守帯を形態で大別すると、（１）ベルト状のもので子供の身体を使用者の身体に縛り付ける形態のベルト式（「縛り式」、「オープン式」と称されることもあり単に、「おんぶひも」とか「だっこひも」「だっこバンド」等と称されることもある）のものと、（２）１枚の布をハンモック状の子守帯にしたスリング式のものと、（３）肩帯を備えた袋の中に子供を収めるリュックサック式（「バッグ式」とか「カンガルー式」等と称されることもある）のものとがある。
【０００３】
各形態の子守帯には一長一短があり、使用する子供の月齢や年齢、使用時間、持ち運びの便利さなどによって使い分けされる。
【０００４】
ベルト式の子守帯は、ベルトを軸とした構造をしており、容易に折り畳むことができ、携帯性に優れている。しかし、子供の保持性に難点があり、首や腰がすわっていない乳児には使用できないという問題がある。
【０００５】
スリング式の子守帯もまた、折り畳みが容易である。また、ベルト式の子守帯と違い、首や腰がすわっていない乳児にも使用できる。しかし、保持した子供の自由度は高いために、動きが活発な幼児の保持には向いていないという問題がある。
【０００６】
リュックサック式の子守帯（たとえば、特許文献１を参照）は、子供の保持性が非常に高く、したがって子供を安全に保持できる。しかし、この子守帯は、子供を縦抱き姿勢で保持するために、首や腰がすわっていない乳児には不向きであり、さらに構造上折り畳みが困難であるとの問題がある。そこで、子供の頭部を支持するヘッドレスト部を備えた折り畳み可能なリュックサック式の子守帯が開発されている（たとえば、特許文献２の図４６を参照）。
【先行技術文献】
【特許文献】
【０００７】
【特許文献１】意匠登録第１３４３８８６号公報
【特許文献２】特開２００７−２６８０７６号公報
【発明の概要】
【発明が解決しようとする課題】
【０００８】
しかし、特許文献２の図４６に記載の子守帯のヘッドレスト部は、子供の頭部を副える構造をしており、頭部の大きさ、形および可動範囲によっては適用できない場合がある。
【０００９】
また、この子守帯は、幼児を縦抱きにした状態でしか使用できず、乳児を横抱きした状態で使用するためには別に用意した横抱き用シートを装着しなければならない（特許文献２の図２を参照）。この場合の子守帯は、横抱き用シートを装着した状態で折り畳むことができず、携帯性に欠けるという問題がある。
【００１０】
そこで、本発明は、上記の問題点、すなわち、異なる頭部の大きさ、形および可動範囲の乳幼児を縦抱きおよび横抱きの状態にして使用でき、かつ、容易に折り畳むことができる子守帯を提供することを、発明が解決しようとする課題とした。
【課題を解決するための手段】
【００１１】
本発明者は、上記課題を解決するために、特許文献１に記載の子守帯にヘッドレスト部を設けることを考えた。まず、この子守帯の上部と右肩帯および左肩帯との間に布を縫い付けることによってヘッドレスト部を設けた。しかし、単に布を縫い付けたヘッドレスト部は立ちが悪く、乳幼児の頭部をしっかりと保持することができなかった。そこで、ヘッドレスト部全体に左右方向のギャザーを形成させたところ、立ちはよくなったが、折り畳むことが困難になった。
【００１２】
このような試行錯誤を繰り返した結果、上端と中央に左右方向のギャザーが形成可能な紐貫通部を設け、右端と左端に子守帯本体部の右肩帯および左肩帯に着脱可能な連結手段を設け、かつ、表生地と裏生地との間に芯布を含むヘッドレスト部を作製し、このヘッドレスト部を子守帯本体部と左右方向のギャザーを設けた連結部を介して連結させたところ、ヘッドレスト部の立ちがよく、乳幼児の頭部を安定に保持できる子守帯を作製することに成功した。また、このような子守帯は、紐の締め付けの強弱によってヘッドレスト部の大きさや形態を変えることができることから、異なる頭部の大きさ、形および可動範囲の乳幼児を縦抱きおよび横抱きの状態にして使用でき、さらに紐を解けばギャザーが解消されて折り畳みが可能となる。本発明はこれらの知見に基づいて、完成されたものである。
【００１３】
したがって、本発明によれば、乳幼児の頭部を支持するヘッドレスト部と、
左肩帯および右肩帯が設けられた、乳幼児の胴体部を支持する子守帯本体部と、
前記子守帯本体部の上端と前記ヘッドレスト部の下端とを連結する連結部と、
を備える子守帯であって、
前記ヘッドレスト部は、
上端に左右方向のギャザーが形成可能な第１の紐貫通部が設けられ、
中央に左右方向のギャザーが形成可能な第２の紐貫通部が設けられ、
左端に前記子守帯本体部の左肩帯と連結可能な第１の連結手段が設けられ、
右端に前記子守帯本体部の右肩帯と連結可能な第２の連結手段が設けられ、かつ、
表生地と裏生地との間に芯布を含み、および、
前記連結部は、左右方向のギャザーが設けられている、
前記子守帯が提供される。
【００１４】
好ましくは、前記子守帯本体部は、左肩帯および右肩帯が一方の面側で交差し縫合され、他方の面側で左肩帯および右肩帯がそれぞれねじれを有し、かつ、他方の面側の左肩帯および右肩帯上にそれぞれの肩帯を逆の肩帯に連結可能な第３の連結手段が設けられている。
【００１５】
好ましくは、前記子守帯本体部は、乳幼児の腰回りにされる腰帯を備える。
【００１６】
好ましくは、前記第３の連結手段は、他方の面側の左肩帯および右肩帯上であって、肩帯方向の上端までの距離が肩帯方向の下端までの距離よりも長くなる位置にて設けられている。
【００１７】
好ましくは、前記子守帯本体部は、左肩帯および右肩帯の下端に乳幼児の足を保護する股パット部が設けられている。
【００１８】
好ましくは、前記ヘッドレスト部は、扇状のヘッドレスト部である。
【発明の効果】
【００１９】
本発明の子守帯は、ヘッドレスト部の上端および中央に設けた紐貫通部の紐の締め付けによって生じたギャザーの程度を変えることによって、異なる頭部の大きさ、形および可動範囲の乳幼児を縦抱き状態にして使用できる。本発明の子守帯は、ヘッドレスト部の上端に設けた紐貫通部の紐の締め付けを強くし、かつ、中央に設けた紐貫通部の紐の締め付けを調節することによって、ヘッドレスト部をベッド状にして、横抱き用、すなわち、スリング式のものとしても使用できる。この場合、紐貫通部の紐の締め付け具合によって、乳幼児の頭が沈みすぎ、または、上がりすぎないように調節でき、さらに乳幼児が子守帯の上端から転落することを防ぐことができる。また、本発明の子守帯は、ヘッドレスト部と子守帯本体部とを連結させる連結部に左右方向のギャザーが設けられていることによって、乳幼児の頭部のふくらみに添うようにフィットする。
【図面の簡単な説明】
【００２０】
【図１】本発明の一実施形態に係る子守帯１００を一方の面から見た正面図である。
【図２】子守帯１００を他方の面から見た背面図である。
【図３】子守帯１００の一方の面の左斜めから見た斜視図である。
【図４】子守帯１００を用いて乳幼児を縦抱きに保持した状態を側面からみた図である。
【図５】展開した状態のヘッドレスト部２を一方の面から見た図である。
【図６】ギャザーを形成させたヘッドレスト部２を子守帯本体部１に連結させた状態を一方の面から見た図である。
【図７】図６の状態を右側面上方から見た図である。
【図８】子守帯本体部１のねじれ４０を一方の面の右斜めから見た図である。
【図９】他方の面側から見た左肩帯４の中央付近を示した図である。
【図１０】子守帯本体部１の下端付近を一方の面側から示した図である。
【図１１】子守帯本体部１の乳幼児の尻部が当接する部分を上方から見た展開図である。
【図１２】腰帯ポケット蓋部３０を開けた状態を一方の面側から示した図である。
【図１３】腰帯ポケット１７の上部を子守帯本体部から外した状態を一方の面側から示した図である。
【図１４】一方の面の左斜めから見た、乳幼児を縦抱き状態にして子守帯１００を使用した図である。
【図１５】一方の面から見た、乳幼児を縦抱き状態にして子守帯１００を使用した図である。
【図１６】一方の面から見た、乳幼児を横抱き状態にして子守帯１００を使用した図である。
【図１７】右側面から見た、乳幼児を横抱き状態にして子守帯１００を使用した図である。
【図１８】他方の面から見た、乳幼児を横抱き状態にして子守帯１００を使用した図である。
【図１９】他方の面から見た、本発明の子守帯１００の折り畳み手順を示した図である。
【図２０】子守帯１００を折り畳んだ状態の図である。
【図２１】収納袋格納部５３を備えた腰帯１５を示した図である。
【図２２】収納袋２００が展開した状態の腰帯１５によって子守帯１００を縛った状態を示す図である。
【発明を実施するための形態】
【００２１】
本発明の子守帯は、乳幼児の頭部を支持するヘッドレスト部と、左肩帯および右肩帯が設けられた乳幼児の胴体部を支持する子守帯本体部と、子守帯本体部の上端とヘッドレスト部の下端とを連結する連結部とを備える。以下に図面を参照して、本発明の子守帯を実施するための形態を詳細に説明する。ただし、この実施の形態によって本発明が限定されるものではない。
【００２２】
（１）子守帯の概略
図１は、本発明の一実施形態に係る子守帯１００を一方の面から見た正面図である。図２は、その反対側の他方の面から見た背面図である。また、図３は、子守帯１００の一方の面の左斜めから見た斜視図である。
【００２３】
図１を参照して、子守帯１００は、子守帯本体部１と、ヘッドレスト部２と、これらを連結する連結部３とを備える。図４は、子守帯１００を用いて乳幼児を縦抱きに保持した状態を側面からみた図である。図４に示される通り、ヘッドレスト部２は乳幼児の頭部を支持し、子守帯本体部１は乳幼児の胴体部を支持する。
【００２４】
本明細書でいう「乳幼児」とは、乳児および幼児を指す。ここで、乳児は一歳に満たない子供である。一方、幼児は満一歳から小学校就学の直前に達するまでの子供をいう。出生後２８日未満の乳児について、特に新生児とよぶ場合もある。
【００２５】
（２）ヘッドレスト部
図５は、展開した状態のヘッドレスト部２を一方の面から見た図である。図５を参照して、ヘッドレスト部２は、上端に左右方向のギャザーが形成可能な第１の紐貫通部６が設けられ、中央に左右方向のギャザーが形成可能な第２の紐貫通部７が設けられ、左端に子守帯本体部１の左肩帯４上に設けられた第１の連結手段のメス部１０ｂに係合する第１の連結手段のオス部１０ａが設けられ、右端に子守帯本体部１の右肩帯５上に設けられた第２の連結手段のメス部１２ｂに係合する第２の連結手段のオス部１２ａが設けられている。
【００２６】
ヘッドレスト部２は、立ちをよくするために、表生地と裏生地との間に芯布を含む。すなわち、ヘッドレスト部２は、一方の面側の生地である表生地と、芯布と、一方の面と反対側の他方の面側の生地である裏生地とからなる三層構造を形成している。芯布は、柔軟性があり、かつ、子守帯１００の折り畳みを妨げないものであれば特に制限されないが、たとえば、フェルトなどを用いることができる。
【００２７】
図５に示すように、第１の紐貫通部６および第２の紐貫通部７においてギャザーを形成させず、かつ、第１の連結手段のオス部１０ａとメス部１０ｂおよび第２の連結手段のオス部１２ａとメス部１２ｂを連結させない場合、ヘッドレスト部２は扇状の形態にある。
【００２８】
図５を参照して、ヘッドレスト部２の左端および右端に設けられているワンタッチバックル型の第１の連結手段のオス部１０ａおよび第２の連結手段のオス部１２ａは、それぞれ、子守帯本体部１の左肩帯４および右肩帯５上に設けられている第１の連結手段のメス部１０ｂおよび第２の連結手段のメス部１２ｂに連結される。ただし、本発明の子守帯に設けられる連結手段や連結具は、ワンタッチバックル型のもの以外にも種々のものを使用することでき、特に制限されない。
【００２９】
図５を参照して、ヘッドレスト部２の第１の紐貫通部６は、第１の紐８を貫通させて含む。具体的には、第１の紐８は２本の紐からなり、それぞれヘッドレスト部２の芯布と表生地との間に通されており、一方の紐の左端付近がヘッドレスト部２の左端付近に縫い付けられ、および他方の紐の右端付近がヘッドレス部２の右端付近で縫い付けられている。この第１の紐８の一方の紐の右端および他方の紐の左端、すなわち、ヘッドレスト部に縫い付けられていない端は、第１の紐貫通部６の中心付近に設けた穴を通してヘッドレスト部２の表生地から一方の面の外側に露出している。この露出している第１の紐８の一方および他方の紐を締め付けて結ぶことにより、第１の紐貫通部６付近に左右方向のギャザーを形成させ得る。
【００３０】
同様に、図５を参照して、ヘッドレスト部２の第２の紐貫通部７は、第２の紐９を貫通させて含む。具体的には、第２の紐９は２本の紐からなり、それぞれヘッドレスト部２の芯布と表生地との間に通されており、一方の紐の左端付近がヘッドレスト部２の左端付近に縫い付けられ、および他方の紐の右端付近がヘッドレス部２の右端付近で縫い付けられている。この第２の紐９の一方の紐の右端および他方の紐の左端、すなわち、ヘッドレスト部に縫い付けられていない端は、第２の紐貫通部７の中心付近に設けた穴を通してヘッドレスト部２の表生地から一方の面の外側に露出している。この露出している第２の紐９の一方および他方の紐を締め付けて結ぶことにより、第２の紐貫通部７付近に左右方向のギャザーを形成させ得る。
【００３１】
図６は、第１の連結手段１０および第２の連結手段１２を介してヘッドレスト部２を子守帯本体部１の左肩帯４および右肩帯５と連結させ、かつ、第１の紐８および第２の紐９を締め付けて結び、第１の紐貫通部６および第２の紐貫通部７の付近で左右方向のギャザーを形成させた状態を一方の面から見た図である。図７は、この状態にあるヘッドレスト部２を右側面上方から見た図である。図６および図７に示されるように、第１の連結手段１０および第２の連結手段１２を介してヘッドレスト部２を子守帯本体部１の左肩帯４および右肩帯５と連結させ、かつ、第１の紐８および第２の紐９を締め付けて結び、第１の紐貫通部６および第２の紐貫通部７の付近で左右方向のギャザーを形成させることにより、ヘッドレスト部２を立たせた状態で保つことができる。
【００３２】
図７を参照して、ヘッドレスト部２は、第１の紐８および第２の紐９の締め付けに強弱をつけることにより、第１の紐貫通部６および第２の紐貫通部７に形成させるギャザーの程度を変化させることができる。このようにギャザーの程度を変化させることによって、ヘッドレスト部２は様々な頭部の大きさ、形および可動範囲をもった乳幼児に適用できる。また、このようなヘッドレスト部は、様々な左肩帯および右肩帯が設けられた乳幼児の胴体部を支持する子守帯本体部に備え付けられ得る。
【００３３】
（３）子守帯本体部
図１を参照して、子守帯本体部１には、左肩帯４および右肩帯５が一方の面側で交差し縫合された交差縫合部１８が設けられている。図２を参照して、子守帯本体部１は、他方の面側で左肩帯４および右肩帯５がそれぞれねじれを有しており、かつ、他方の面側の左肩帯４および右肩帯５上にそれぞれの肩帯を逆の肩帯に連結可能な第３の連結手段２０が設けられている。さらに、子守帯本体部１は、使用者の腰回りに位置する第４の連結手段２１が設けられている。図８は、一方の面の右斜めからみた、ねじれ４０の態様を示した図である。図８を参照して、ねじれ４０があることにより、一方の面からは、左肩帯４の交差縫合部１９付近は一方の面４１が見え、左肩帯４と右肩帯５とが縫合される付近においても一方の面４１が見える。
【００３４】
図１および図２に示される子守帯本体部１は、たとえば、特許公報１に記載の意匠を参照して作製できる。ただし、図２に示される通り、第３の連結手段２０は、他方の面側の左肩帯４および右肩帯５上であって、肩帯方向の上端までの距離が肩帯方向の下端までの距離よりも長くなる位置にて設けられる。
【００３５】
図４に示されているように、子守帯本体部１は、乳幼児の腰回りにされる腰帯１５を備える。特に、腰がすわっていない乳児に使用する場合は、腰帯１５で子供を支えるようにする。
【００３６】
図９は他方の面側から見た左肩帯４の中央付近を示した図である。図９を参照して、子守帯本体部１は、ねじれが生じる部分にゴムなどを通して伸縮性をもたせることによって、左肩帯４上の脇部２２に縦方向のギャザーが設けられる。このように、脇部２２にギャザーを形成させることによって、使用者の体のラインに子守帯１００をフィットさせることができ、身につけている子守帯１００を使用環境中にある他の物と接触することを防止することが期待できる。
【００３７】
図１０は子守帯本体部１の下端付近を一方の面側から示した図である。図１０に示されるように、子守帯本体部１は、左肩帯および右肩帯の下端に乳幼児の足を保護する股パット部１１が設けられている。図１１は、子守帯本体部１の乳幼児の尻部が当接する部分を上方から見た展開図である。股パット部１１を設けることによって、乳幼児の足が子守帯本体部１によってすり切れることを防止することが期待できる。股パッド部１１は、クッション性のある部材で構成され、一定の広さを有することが好ましい。
【００３８】
図１２は、腰帯ポケット蓋部３０を開けた状態を一方の面側から示した図である。図１２を参照して、子守帯本体部１は、腰帯１５上に小物を収納することができる腰帯ポケット１７が設けられている。腰帯ポケット１７は、面ファスナー３１と面ファスナー３３を接着することにより、腰帯ポケット蓋部３０を開閉する。面ファスナー３２と腰帯ポケット１７の内側に設けた面ファスナーとにより、腰帯ポケット１７を内側から開閉することもできる。
【００３９】
図１３は、腰帯ポケット１７の上部を子守帯本体部から外した状態を一方の面側から示した図である。図１３を参照して、面ファスナー３４と面ファスナー３５との脱着を介して、腰帯ポケット１７の上部を子守帯本体部１から脱着させることができる。腰帯ポケット１７がこのような構造をとることにより、腰帯連結具１４を腰帯ポケット１７と子守帯本体部１との間に収納することができる。
【００４０】
図１に示すように、子守帯本体部１は、ジッパータグ１６を上下して開閉できるジッパー部が設けられている。このジッパー部を介して、乳幼児を子守帯１００から出し入れすることができる。このジッパー部はジッパー保護部１３によって一方の面側から見えないようになっている。
【００４１】
（４）連結部
連結部は、子守帯本体部の上端とヘッドレスト部の下端とを連結するために設けられている。したがって、本発明の子守帯において、連結部は、子守帯本体部の上端とヘッドレスト部の下端とが接する部位である。図１を参照して、連結部３には左右方向のギャザーが設けられており、連結部３の周辺には縦皺が生じる。連結部にギャザーがあることにより、ヘッドレスト部の立ちがよくなる。このようなギャザーは、連結部３の中にゴムを通すことによって形成させ得るが、特に限定されない。
【００４２】
（５）使用形態
図１４および１５は、乳幼児を縦抱き状態にして本発明の子守帯１００を使用した図である。本発明の子守帯を首がすわっていない乳児に使用する場合は、図４に示すように、ヘッドレスト部２を完全に立たせた状態で使用することが好ましい。本発明の子守帯を首がすわりはじめた乳児に使用する場合は、図１４に示すように、第１の紐貫通部周辺にギャザーを形成させず、場合によっては第２の紐貫通部周辺にもギャザーを形成させずに、ヘッドレスト部２の一部を折り返して使用することができる。本発明の子守帯を首がすわった乳児または幼児に使用する場合は、図１５に示すように、第１の連結手段１０および第２の連結手段１２の連結を解除して、ヘッドレスト部２の全体を折り返して使用することができる。なお、本発明の子守帯は、乳幼児を、使用者と向かい合わせて保持することも、使用者に背を向けて保持することもできる。また、本発明の子守帯によれば、乳幼児を、使用者の前面にて抱っこ状態で保持することも、使用者の背面にておんぶ状態で保持することもできる。
【００４３】
図１６は、本発明の子守帯１００をスリング式で使用した状態を示した図である。生後間もない新生児に至っては、縦抱きが適さない場合がある。この場合は、図１６に示すように、本発明の子守帯１００をスリング式のものとして使用することができる。この場合、乳児の頭からの落下を防ぐために、第１の紐８の締め付けを強くして結び、第１の紐貫通部６周辺に多数のギャザーを形成させ、かつ、第２の紐９の締め付けを弱くして結びまたは結ばずに第２の紐貫通部７周辺のギャザーの形成の程度を小さくすることによって、ヘッドレスト部２をベッド状にすることが好ましい。
【００４４】
図１７および図１８は、本発明の子守帯１００をスリング式にして使用した側面図および背面図である。図１７が示すように、本発明の子守帯１００をスリング式にして使用する場合は、乳幼児の腰からの落下を防ぐために、乳幼児の腰を腰帯１５で固定する。また、図１８に示すように、使用する子供が新生児または乳児である場合には、子供の足を本発明の子守帯１００の中に入れる。
【００４５】
図１９は本発明の子守帯１００の折り畳み手順を示した図である。図１９を参照して、まず、子守帯１００のヘッドレスト部２を他方の面方向に折り畳む（矢印ａ）。次いで、子守帯本体部１の下半分を子守帯本体部１の上半分と他方の面側で重ね合わせるように折り畳む（矢印ｂ）。次いで、子守帯本体部１の上半分と下半分を他方の面側で重ね合わせるように折り畳む（矢印ｃ）。最後に、折り畳んだ子守帯１００の形が崩れないように、腰帯１５で縛り付けて腰帯連結具１４で固定する。このようにして本発明の子守帯１００を４つ折りに畳み込んだ状態は、図２０に示される。
【００４６】
（６）本発明の別の一実施形態
本発明の別の一実施形態として、本発明の子守帯が備える腰帯に、子守帯全体を収納するための収納袋を設けることができる。図２１を参照して、腰帯１５には、腰帯ポケットに代えて、収納袋格納部５３が設けられている。この収納格納部５３には、図２２に示すように、収納袋２００が格納されている。収納袋２００は、取っ手部５１と袋本体部５２から構成される。図２２を参照して、子守帯１００を４つ折りに畳み込み、次いで腰帯１５で縛り付け、次いで収納格納部５３から収納袋２００を取り出す。この収納袋２００を裏返しにすることによって、子守帯１００は収納袋２００に収納される。このような形態の本発明の子守帯は、子守帯を収納するための収納袋を別途携帯する必要がなく、かつ、収納袋によって子守帯の持ち運びが容易になることから、使用者にとって非常に利便性が高い。
【産業上の利用可能性】
【００４７】
本発明は、乳幼児を保持するための子守帯に適用でき、リュックサック式のものとしてのみならず、スリング式のものとしても使用することができる。したがって、本発明は、出生０ヶ月の乳児から３歳程度の幼児にまで適用できる。本発明の子守帯は、使用者にとって利便性が高く、かつ、乳幼児にとって快適かつ安全なものとして、産業上有用である。
【符号の説明】
【００４８】
１  子守帯本体部
２  ヘッドレスト部
３  連結部
４  左肩帯
５  右肩帯
６  第１の紐貫通部
７  第２の紐貫通部
８  第１の紐
９  第２の紐
１０  第１の連結手段
１０ａ  第１の連結手段のオス部
１０ｂ  第２の連結手段のメス部
１１  股パット部
１２  第２の連結手段
１２ａ  第２の連結手段のオス部
１２ｂ  第２の連結手段のメス部
１３  ジッパー保護部
１４  腰帯連結具
１４ａ  腰帯連結具のオス部
１４ｂ  腰帯連結具のメス部
１５  腰帯
１６  ジッパータグ
１７  腰帯ポケット
１８  交差縫合部
２０  第３の連結手段
２１  第４の連結手段
２２  脇部
３０  腰帯ポケット蓋部
３１、３２、３３、３４、３５  面ファスナー
４０  ねじれ
４１  一方の面
４２  他方の面
５１  取っ手部
５２  袋本体部
５３  収納袋格納部
１００  子守帯
２００  収納袋
ａ  折り畳み手順１
ｂ  折り畳み手順２
ｃ  折り畳み手順３
【図１】
2011092325.tif 000003
【図２】
2011092325.tif 000004
【図３】
2011092325.tif 000005
【図４】
2011092325.tif 000006
【図５】
2011092325.tif 000007
【図６】
2011092325.tif 000008
【図７】
2011092325.tif 000009
【図８】
2011092325.tif 000010
【図９】
2011092325.tif 000011
【図１０】
2011092325.tif 000012
【図１１】
2011092325.tif 000013
【図１２】
2011092325.tif 000014
【図１３】
2011092325.tif 000015
【図１４】
2011092325.tif 000016
【図１５】
2011092325.tif 000017
【図１６】
2011092325.tif 000018
【図１７】
2011092325.tif 000019
【図１８】
2011092325.tif 000020
【図１９】
2011092325.tif 000021
【図２０】
2011092325.tif 000022
【図２１】
2011092325.tif 000023
【図２２】
2011092325.tif 000024